(57)【特許請求の範囲】
【請求項１】
被験者の位置及び姿勢を検知する被験者検知手段と、
被験者の動作を検知する動作検知手段と、
手指衛生機会に対応する特定の組合せをあらかじめ記憶する記憶部と、
前記被験者検知手段の検知情報と、前記動作検知手段の検知情報と、物体の位置を示す物体位置情報との組合せが、前記記憶部に記憶された組合せになった回数をカウントするカウンタと、
を備える、手指衛生機会測定システム。
【請求項２】
物体の位置を検知する物体検知手段を更に備え、
前記カウンタは、前記被験者検知手段の検知情報と、前記動作検知手段の検知情報と、前記物体検知手段の検知情報との組合せが、前記記憶部に記憶された組合せになった回数をカウントする、請求項１に記載の手指衛生機会測定システム。
【請求項３】
前記物体位置情報を入力するための入力部を更に備え、
前記記憶部は、前記入力部に入力された前記物体位置情報を記憶し、
前記カウンタは、前記被験者検知手段の検知情報と、前記動作検知手段の検知情報と、前記記憶部に記憶された前記物体位置情報との組合せが、前記記憶部に記憶された組合せになった回数をカウントする、請求項１に記載の手指衛生機会測定システム。
【請求項４】
前記記憶部は、前記手指衛生機会に対応する特定の組合せを複数のグループに分類して記憶し、
前記カウンタは、前記被験者検知手段の検知情報と、前記動作検知手段の検知情報と、前記物体位置情報との組合せが、前記記憶部に記憶された組合せになった回数を前記複数のグループ毎にカウントする、
請求項１〜３のいずれか１つに記載の手指衛生機会測定システム。
【請求項５】
前記カウンタがカウントした回数を報知する報知部を備える、請求項１〜４のいずれか１つに記載の手指衛生機会測定システム。
【請求項６】
前記カウンタがカウントした回数に基づいて手指衛生の遵守率を算出する演算部と、
前記演算部が算出した遵守率を報知する報知部と、
を更に備える、請求項１〜４のいずれか１つに記載の手指衛生機会測定システム。
【発明の詳細な説明】
【技術分野】
【０００１】
本発明は、手指衛生機会測定システムに関する。
【背景技術】
【０００２】
近年、医療現場においては、医療関連感染（ＨＡＩｓ）をより一層抑制することが求められている。ＨＡＩｓの抑制には、石鹸と流水による手洗いや、アルコール消毒薬による手指消毒などの手指衛生を適切に行うことが効果的であることが知られている。
【０００３】
例えば、米国ＣＤＣ（米国疾病管理センター）やＷＨＯ（世界保健機関）の手指衛生ガイドラインには、手指衛生の遵守率（手指衛生を行った回数／手指衛生を必要とする行為の回数）を向上させることでＨＡＩｓの感染率が低下することが記載されている。なお、手指衛生の遵守率を７０％以上にすると、ＭＲＳＡ感染率を約１０％程度以下にまで低下させることができたとの報告もある。
【０００４】
手指衛生の遵守率の向上を目指す上で指標となるデータのうち分子のデータ（手指衛生を行った回数）を測定する装置は、いくつか提案されている。例えば、消毒薬の使用量やディスペンサの押された回数を測定することで、分子のデータを間接的に測定する装置が提案されている。
【０００５】
また、特許文献１（特開２００９−２８２４４２号公報）には、被験者に装着された動き検出手段を介してその行動を認識し、当該認識結果に基づいて手指衛生行動の要否及び実行状態を評価し、当該評価結果に応じたアドバイスを自動的に被験者に対して行う装置が記載されている。
【先行技術文献】
【特許文献】
【０００６】
【特許文献１】特開２００９−２８２４４２号公報
【非特許文献】
【０００７】
【非特許文献１】医療現場における手指衛生のためのＣＤＣガイドライン．大久保憲訳、小林寛伊監訳．メディカ出版、大阪,２００３
【非特許文献２】WHO Guidelines on hygiene in health care (http://whqlibdoc.who.int/publications/2009/9789241597906_eng.pdf)
【発明の概要】
【発明が解決しようとする課題】
【０００８】
しかしながら、手指衛生の遵守率の向上を目指す上で指標となるデータのうち分母のデータ（手指衛生を必要とする行為の回数。以下、手指衛生機会という）については、間接的に測定することは困難であり、専門家が直接観察をして測定することが最も良いとされている。
【０００９】
専門家が直接観察することで、手指衛生機会の測定を高精度に行うことが可能となる。しかしながら、この方法では、人的負担が非常に高いため、ＷＨＯの規定では１セッション２０分程度とされており、１日の手指衛生機会を網羅的に測定することができない。また、人が行うので、手指衛生機会であるか否かの判断にバラツキがあるうえ、観察されていることを意識した被験者が観察時のみ普段と異なる行動をとる場合が考えられ、本来の手指衛生機会を得ることは難しい。
【００１０】
一方、特許文献１のような従来の装置では、手指衛生を行った回数の測定を自動化することによって当該測定に要する負担を軽減することができる。しかしながら、従来の装置は、実際に手指衛生を行った回数を直接的又は間接的に測定するものであるので、手指衛生機会を高精度に測定することはできない。
【００１１】
手指衛生を行った回数を測定できたとしても、手指衛生機会が多かった場合には、当然ながら手指衛生の遵守率は低くなる。この場合、手指衛生を行った回数が多かったとしても、ＨＡＩｓの感染率は低下しないことになる。従って、ＨＡＩｓの感染率を低下させるには、手指衛生機会を高精度に測定することが重要である。
【００１２】
従って、本発明の目的は、前記問題を解決することにあって、手指衛生機会の測定に要する負担を軽減するとともに、当該測定を高精度に行うことができる手指衛生機会測定システムを提供することにある。
【課題を解決するための手段】
【００１３】
前記目的を達成するために、本発明にかかる手指衛生機会測定システムは、
被験者の位置及び姿勢を検知する被験者検知手段と、
被験者の動作を検知する動作検知手段と、
手指衛生機会に対応する特定の組合せをあらかじめ記憶する記憶部と、
前記被験者検知手段の検知情報と、前記動作検知手段の検知情報と、物体の位置を示す物体位置情報との組合せが、前記記憶部に記憶された組合せになった回数をカウントするカウンタと、
を備えるように構成される。
【発明の効果】
【００１４】
本発明にかかる手指衛生機会測定システムによれば、前記構成を有することにより、手指衛生機会の測定に要する負担を軽減するとともに、当該測定を高精度に行うことができる。
【図面の簡単な説明】
【００１５】
【図１】本発明の第１実施形態にかかる手指衛生機会測定システムのブロック図である。
【図２】被験者を模式的に示す正面図である。
【図３】被験者が患者に触れるときの物体、患者、及び被験者の位置関係を模式的に示す平面図である。
【図４】図３の被験者の姿勢を模式的に示す正面図である。
【図５】点滴交換時における物体、患者、及び被験者の位置関係を模式的に示す平面図である。
【図６】図５の被験者の姿勢を模式的に示す正面図である。
【図７】体液に曝露された可能性のある場合における物体、患者、及び被験者の位置関係を模式的に示す平面図である。
【図８】図７の被験者の姿勢を模式的に示す正面図である。
【図９】被験者が患者周辺の物品に触れるときの物体、患者、及び被験者の位置関係を模式的に示す平面図である。
【図１０】報知部により表示される情報の一例を示す図である。
【図１１】本発明の第２実施形態にかかる手指衛生機会測定システムのブロック図である。
【図１２】本発明の第３実施形態にかかる手指衛生機会測定システムのブロック図である。
【発明を実施するための形態】
【００１６】
（本発明に至った知見）
本発明者は、前記目的を達成するため、鋭意検討した結果、以下の知見を得た。
【００１７】
従来、専門家による手指衛生機会の測定は、一般に、ＷＨＯのガイドライン等に記載された以下の５つのタイミング（以下、５モーメント（Five Moments）という）を計数することにより行われている。
【００１８】
１．患者に触れる前
２．清潔操作の前
３．体液に曝露された可能性のある場合
４．患者に触れた後
５．患者周辺の物品に触れた後
【００１９】
これらの５モーメントでは、医療従事者の手指に付いた菌を患者等に移さないようにするため、或いは、汚染環境に触れるなどして手指に付いた菌を除去するために、手指衛生が必要となる。
【００２０】
本発明者は、５モーメントにおける医療従事者等の動作を分析した結果、ベッドなどの物体の位置、被験者の位置及び姿勢、被験者の動作を検知することで、５モーメントの全てを検知できることを見出した。更に、本発明者は、物体の位置、被験者の位置及び姿勢、被験者の動作を、センサなどの検知手段により自動的に検知することで、手指衛生機会の測定に要する負担を大幅に軽減することができることを見出した。これらの点を踏まえて、本発明者は以下の発明に至った。
【００２１】
本発明の第１態様によれば、被験者の位置及び姿勢を検知する被験者検知手段と、
被験者の動作を検知する動作検知手段と、
手指衛生機会に対応する特定の組合せをあらかじめ記憶する記憶部と、
前記被験者検知手段の検知情報と、前記動作検知手段の検知情報と、物体の位置を示す物体位置情報との組合せが、前記記憶部に記憶された組合せになった回数をカウントするカウンタと、
を備える、手指衛生機会測定システムを提供する。
【００２２】
本発明の第２態様によれば、物体の位置を検知する物体検知手段を更に備え、
前記カウンタは、前記被験者検知手段の検知情報と、前記動作検知手段の検知情報と、前記物体検知手段の検知情報との組合せが、前記記憶部に記憶された組合せになった回数をカウントする、第１態様に記載の手指衛生機会測定システムを提供する。
【００２３】
本発明の第３態様によれば、前記物体位置情報を入力するための入力部を更に備え、
前記記憶部は、前記入力部に入力された前記物体位置情報を記憶し、
前記カウンタは、前記被験者検知手段の検知情報と、前記動作検知手段の検知情報と、前記記憶部に記憶された前記物体位置情報との組合せが、前記記憶部に記憶された組合せになった回数をカウントする、第１態様に記載の手指衛生機会測定システムを提供する。
【００２４】
本発明の第４態様によれば、前記記憶部は、前記手指衛生機会に対応する特定の組合せを複数のグループに分類して記憶し、
前記カウンタは、前記被験者検知手段の検知情報と、前記動作検知手段の検知情報と、前記物体位置情報との組合せが、前記記憶部に記憶された組合せになった回数を前記複数のグループ毎にカウントする、
第１〜３態様のいずれか１つに記載の手指衛生機会測定システムを提供する。
【００２５】
本発明の第５態様によれば、前記カウンタがカウントした回数を報知する報知部を備える、第１〜４態様のいずれか１つに記載の手指衛生機会測定システムを提供する。
【００２６】
本発明の第６態様によれば、前記カウンタがカウントした回数に基づいて手指衛生の遵守率を算出する演算部と、
前記演算部が算出した遵守率を報知する報知部と、
を更に備える、第１〜５態様のいずれか１つに記載の手指衛生機会測定システムを提供する。
【００２７】
以下、本発明の実施形態について、図面を参照しながら説明する。
【００２８】
《第１実施形態》
本発明の第１実施形態にかかる手指衛生機会測定システムの全体構成について、図１を用いて説明する。図１は、本第１実施形態にかかる手指衛生機会測定システムのブロック図である。
【００２９】
図１において、本第１実施形態にかかる手指衛生機会測定システムは、物体検知手段１と、被験者検知手段２と、動作検知手段３と、記憶部４と、カウンタ５と、報知部６とを備えている。
【００３０】
物体検知手段１は、物体の位置を検知するものである。「物体」とは、例えば、ベッド、床頭台、枕、点滴台など、手指衛生機会を観察するエリアである病室に配置されるものである。物体検知手段１は、例えば、ベッドが病室内のどの位置に配置されているかを（例えば、三次元座標として）検知する。
【００３１】
被験者検知手段２は、被験者の位置及び姿勢を検知するものである。「被験者」とは、例えば、医師や看護師などの医療従事者である。被験者検知手段２は、例えば、看護師が病室内のどの位置でどのような姿勢（例えば、前傾姿勢、直立姿勢、しゃがんだ姿勢など）をしているかを（例えば、三次元座標として）検知する。
【００３２】
動作検知手段３は、被験者の動作を検知するものである。「被験者の動作」とは、例えば、右手、左手、体幹などの被験者の特定の部位の移動（時間的な変化）をいう。動作検知手段３は、例えば、医療従事者が患者に触れるために自身の右手をベッドの側方からベッドの上方に移動させるときの当該右手の動作を検知する。動作検知手段３は、物体検知手段１と被験者検知手段２とが物体又は被験者を静止状態で観察するのに対し、被験者の移動状態を観察する点で両手段と異なる。
【００３３】
なお、物体検知手段１、被験者検知手段２、動作検知手段３としては、特に限定されるものではないが、非接触式のセンサを用いることが好ましい。これにより、特許文献１のように被験者にセンサを取り付ける作業を無くすことができ、使い勝手を大幅に向上させることができる。検知手段１〜３の各機能を有するセンサとしては、例えば、マイクロソフト社製のウインドウズ用の「Kinect（登録商標）」がある。検知手段１〜３としてこのようなセンサを用いる場合、死角が生じないように当該センサを複数（好ましくは２つ）設けることが好ましい。
【００３４】
記憶部４は、手指衛生機会に対応する特定の組合せをあらかじめ記憶するものである。言い換えれば、記憶部４は、手指衛生機会を示す、物体検知手段１の検知情報と被験者検知手段２の検知情報と動作検知手段３の検知情報との組合せをあらかじめ記憶するものである。記憶部４に記憶される特定の組合せについては、後で詳しく説明する。
【００３５】
カウンタ５は、物体検知手段１の検知情報と被験者検知手段２の検知情報と動作検知手段３の検知情報との組合せが、記憶部４に記憶された組合せになった回数をカウントするものである。
【００３６】
報知部６は、カウンタ５がカウントした回数を報知するものである。報知部６は、例えば、カウンタ５がカウントした回数を、パーソナルコンピュータのディスプレイに表示するなどして視覚的に、或いは音声により聴覚的にユーザに報知する。
【００３７】
なお、記憶部４、カウンタ５、報知部６としては、例えば、パーソナルコンピュータに内蔵されたものを用いることができる。
【００３８】
次に、本第１実施形態にかかる手指衛生機会測定システムにおける５モーメントの測定について説明する。
【００３９】
本第１実施形態において、被験者検知手段２及び動作検知手段３は、特に限定されるものではないが、被験者を図２に示すような棒人間（被験者の関節を含む各部位を直線で結んだもの）として認識し、それぞれの検知を行うものとする。
【００４０】
まず、「患者に触れる前」における手指衛生機会の測定について説明する。
【００４１】
医療行為を行うために患者に触れるとき、医療従事者は、通常、手首をベッドの上方に侵入させるとともに、やや前傾姿勢になる。図３及び図４は、被験者１０が患者２０に触れるときの状態を示している。
【００４２】
例えば、体幹１１が垂直に対して所定の角度θ１（例えば、１５度）以上傾いていることを被験者検知手段２が検知するとともに、物体検知手段１が検知したベッド３１の位置の上方に右手首１２Ｒ又は左手首１２Ｌが移動したことを動作検知手段３が検知したとき、被験者１０が患者２０に触れると推定される。
【００４３】
記憶部４には、このときの各検知手段１〜３の検知情報の組合せがあらかじめ記憶されている。カウンタ５は、各検知手段１〜３の検知情報の組合せが、記憶部４に記憶された当該組合せになった回数をカウントする。これにより、「患者に触れる前」における手指衛生機会を測定することができる。
【００４４】
なお、「体幹」とは、被験者の手足と頭を除いた胴体部分をいい、被験者を図２に示すような棒人間と想定した場合には、胴体部分の略中心軸（背骨の延在方向に延びる軸）をいう。
【００４５】
次に、「清潔操作の前」における手指衛生機会の測定について説明する。
【００４６】
「清潔操作」とは、例えば、点滴を交換する操作をいう。点滴を交換するとき、医療従事者は、通常、両手首を点滴の高さ位置付近で接近させるとともに、患者に対して後ろ向き又は横向きの姿勢になる。図５及び図６は、被験者１０が点滴を交換する状態を示している。
【００４７】
例えば、右手首１２Ｒと左手首１２Ｌとが物体検知手段１が検知した点滴台３２の高さ位置付近で互いに所定の距離（例えば、３０ｃｍ）の範囲内にあるとともに、右肩１３Ｒと左肩１３Ｌとを結ぶ直線がベッド３１の長辺に対して所定の角度（例えば、４５度以上）傾いていることを被験者検知手段２が検知したとき、被験者１０が点滴を交換する操作を行っていると推定される。
【００４８】
記憶部４には、このときの各検知手段１〜３の検知情報の組合せがあらかじめ記憶されている。カウンタ５は、各検知手段１〜３の検知情報の組合せが、記憶部４に記憶された当該組合せになった回数をカウントする。これにより、「清潔操作の前」における手指衛生機会を測定することができる。
【００４９】
次に、「体液に曝露された可能性のある場合」における手指衛生機会の測定について説明する。
【００５０】
「体液に曝露された可能性のある場合」とは、例えば、患者のおむつを交換する場合である。おむつを交換するとき、医療従事者は、通常、手首を患者の下半身付近に配置し、強い前傾姿勢になる。図７及び図８は、被験者１０がおむつを交換する状態を示している。
【００５１】
例えば、右手首１２Ｒと左手首１２Ｌとが物体検知手段１が検知したベッド３１の所定の領域３３の上方で互いに所定の距離（例えば、３０ｃｍ）の範囲内にあるとともに、体幹１１が垂直に対して所定の角度θ２（例えば、１５度）以上傾いていることを被験者検知手段２が検知したとき、被験者１０がおむつを交換していると推定される。
【００５２】
記憶部４には、このときの各検知手段１〜３の検知情報の組合せがあらかじめ記憶されている。カウンタ５は、各検知手段１〜３の検知情報の組合せが、記憶部４に記憶された当該組合せになった回数をカウントする。これにより、「体液に曝露された可能性のある場合」における手指衛生機会を測定することができる。
【００５３】
次に、「患者に触れた後」における手指衛生機会の測定について説明する。
【００５４】
患者に触れた後、医療従事者は、通常、やや前傾姿勢から直立姿勢に戻り、ベッドから離れる。
【００５５】
例えば、体幹１１が垂直に対して所定の角度θ１以上傾いた状態から略垂直に戻るとともに、物体検知手段１が検知したベッド３１の位置の近傍から体幹１１が所定の距離移動したことを動作検知手段３が検知したとき、被験者１０が患者２０に接触したと推定される。
【００５６】
記憶部４には、このときの各検知手段１〜３の検知情報の組合せがあらかじめ記憶されている。カウンタ５は、各検知手段１〜３の検知情報の組合せが、記憶部４に記憶された当該組合せになった回数をカウントする。これにより、「患者に接触した後」における手指衛生機会を測定することができる。
【００５７】
次に、「患者周辺の物品に触れた後」における手指衛生機会の測定について説明する。
【００５８】
「患者周辺の物品」とは、例えば、図９に示すベッドフレーム３４、床頭台３５、枕３６などである。患者周辺の物品に触れるとき、医療従事者の手首は患者周辺の物品の近傍に位置する。
【００５９】
例えば、図９に示すように物体検知手段１が検知した床頭台３５の位置から所定の距離（例えば、１０ｃｍ）の範囲内に右手首１２Ｒ又は左手首１２Ｌが配置されたことを被験者検知手段２が検知したとき、被験者１０が床頭台３５に接触したと推定される。
【００６０】
記憶部４には、このときの各検知手段１〜３の検知情報の組合せがあらかじめ記憶されている。カウンタ５は、各検知手段１〜３の検知情報の組合せが、記憶部４に記憶された当該組合せになった回数をカウントする。これにより、「患者周辺の物品に接触した後」における手指衛生機会を測定することができる。
【００６１】
以上のように、本第１実施形態にかかる手指衛生機会測定システムによれば、５モーメントの全てを自動的に検知することができるので、手指衛生機会の測定に要する負担を大幅に軽減することができるとともに、当該測定を高精度に行うことができる。
【００６２】
なお、前記では、５モーメントにおける特徴的な動作等の一例について説明したが、当該特徴的な動作等は他にも存在する。例えば、医療従事者が患者の身体を拭く動作である身体清拭は、当該身体清拭により医療従事者の手指に菌が付着する可能性があるので、当該身体清拭後に手指衛生を行う必要がある。すなわち、身体清拭は、「患者に触れた後」における手指衛生機会に該当する。身体清拭を行うとき、医療従事者は、通常、ベッドの近傍において、片方の手で患者を持ち、他方の手を大きく振幅させる。例えば、左手首１２Ｌが静止状態にあり、右手首１２Ｒが振幅運動していることを動作検知手段３が検知したとき、身体清拭が行われていると推定できる。このように、５モーメントにおける特徴的な動作等は、ほぼ全て各検知手段１〜３により検知することができる。
【００６３】
なお、本発明は前記実施形態に限定されるものではなく、その他種々の態様で実施できる。例えば、手指衛生機会を示す各検知手段１〜３の検知情報の組合せは、上述したものに限定されるものではなく、適宜変更可能である。
【００６４】
また、記憶部４は、手指衛生機会に対応する特定の組合せを５モーメント毎など複数のグループに分類して記憶することが好ましい。また、カウンタ５は、物体検知手段１の検知情報と、被験者検知手段２の検知情報と、動作検知手段３の検知情報との組合せが、記憶部４に記憶された組合せになった回数を前記複数のグループ毎にカウントすることが好ましい。これにより、例えば、報知部６により図１０に示すような情報を表示することが可能となり、ユーザの使い勝手を向上させることができる。
【００６５】
なお、手指衛生機会の測定方法として、例えば、病室内をビデオ撮影し、当該撮影した映像に基づいて手指衛生機会を測定する方法も考えられる。しかしながら、この場合、患者のプライバシーを確保できないおそれがある。
【００６６】
このため、被験者検知手段２と動作検知手段３とは、医療従事者と患者とを区別して認識し、記憶部４は、患者に関する検知情報（例えば、患者の顔などを特定する情報）を記憶しないようにすることが好ましい。また、報知部６が患者２０を画像として表示する場合は、図２に示す棒人間のような患者２０が特定できないような態様で表示することが好ましい。これにより、患者２０のプライバシーを確保することができる。
【００６７】
なお、医療従事者と患者とを区別するため、本第１実施形態にかかる手指衛生機会測定システムは、例えば、色センサを更に備えてもよい。医療従事者は白衣を着ることが多いので、例えば、当該色センサが被験者を認識したときに白色の割合が高い場合には、当該被験者が医療従事者であると識別することができる。また、医療従事者に識別タグを付して、当該タグを読み取ることにより、被験者が医療従事者であると識別するようにしてもよい。また、例えば、音声認識センサを更に備え、当該音声認識センサにより医療従事者が発した声を検知することにより、被験者が医療従事者であると識別するようにしてもよい。
【００６８】
また、手指衛生機会の測定をより高精度で行うために、本第１実施形態にかかる手指衛生機会測定システムは、音声センサを更に備えてもよい。これにより、例えば、各検知手段１〜３では検知できない手指衛生機会が発生した場合でも、その旨を被験者の音生から「点滴」、「おむつ」、「交換」といった特定の言葉を抽出して認識することによって、当該手指衛生機会をカウントすることができる。
【００６９】
《第２実施形態》
本発明の第２実施形態にかかる手指衛生機会測定システムの全体構成について、図１１を用いて説明する。図１１は、本第２実施形態にかかる手指衛生機会測定システムのブロック図である。本第２実施形態にかかる手指衛生機会測定システムが、前記第１実施形態にかかる手指衛生機会測定システムと異なる点は、物体検知手段１に代えて入力部７を備えている点である。
【００７０】
ベッドや床頭台などの物体の位置は、概ね固定されているものである。このため、それらの物体の位置は、物体検知手段１にて自動的に検知するようにしなくても、ユーザがあらかじめ入力することが可能である。
【００７１】
このため、入力部７は、物体位置情報を入力可能に構成されている。入力部７にて入力された物体位置情報は、例えば、記憶部４に記憶される。入力部７としては、例えば、パーソナルコンピュータに搭載されたものを用いることができる。
【００７２】
カウンタ５は、物体検知手段１の検知情報と、被験者検知手段２の検知情報と、入力部７にて入力された物体位置情報との組合せが、記憶部４に記憶された組合せになった回数をカウントする。
【００７３】
本第２実施形態にかかる手指衛生機会測定システムによれば、５モーメントの全てを自動的に検知することができるので、手指衛生機会の測定に要する負担を大幅に軽減することができるとともに、当該測定を高精度に行うことができる。
【００７４】
《第３実施形態》
本発明の第３実施形態にかかる手指衛生機会測定システムの全体構成について、図１２を用いて説明する。図１２は、本第３実施形態にかかる手指衛生機会測定システムのブロック図である。本第３実施形態にかかる手指衛生機会測定システムが、前記第１実施形態にかかる手指衛生機会測定システムと異なる点は、手指衛生回数検知手段８と演算部９とを更に備えている点である。
【００７５】
手指衛生回数検知手段８は、手指衛生を行った回数を検知するものである。手指衛生回数検知手段８としては、上述した特許文献１のような公知の装置を用いることができる。手指衛生回数検知手段８が検知した手指衛生を行った回数は、記憶部４に記憶される。
【００７６】
演算部９は、記憶部４に記憶された手指衛生を行った回数と、カウンタ５がカウントした手指衛生機会の回数に基づいて手指衛生の遵守率を算出する。演算部９が算出した遵守率は、報知部６により視覚的又は聴覚的に報知される。
【００７７】
本発明の第３実施形態によれば、手指衛生機会の遵守率を報知するので、ユーザの使い勝手を一層向上させることができる。
【００７８】
なお、前記様々な実施形態のうちの任意の実施形態を適宜組み合わせることにより、それぞれの有する効果を奏するようにすることができる。
【００７９】
本発明は、添付図面を参照しながら好ましい実施の形態に関連して充分に記載されているが、この技術に熟練した人々にとっては種々の変形や修正は明白である。そのような変形や修正は、添付した請求の範囲による本発明の範囲から外れない限りにおいて、その中に含まれると理解されるべきである。
【００８０】
２０１３年２月１日に出願された日本国特許出願Ｎｏ．２０１３−０１８４４２号の明細書、図面、および特許請求の範囲の開示内容は、全体として参照されて本明細書の中に取り入れられるものである。
【産業上の利用可能性】
【００８１】
本発明にかかる手指衛生機会測定システムは、手指衛生機会の測定に要する負担を軽減するとともに、当該測定を高精度に行うことができるので、特に、集中治療室などＨＡＩｓの感染を防ぐ必要がある場所において手指衛生機会を測定するときに有用である。
【符号の説明】
【００８２】
１    物体検知手段
２    被験者検知手段
３    動作検知手段
４    記憶部
５    カウンタ
６    報知部
７    入力部
８    手指衛生回数検知手段
９    演算部
１０    被験者
１１    体幹
１２Ｒ  右手首
１２Ｌ  左手首
１３Ｒ  右肩
１３Ｌ  左肩
２０    患者
３１    ベッド
３２    点滴台
３３    領域
３４    ベッドフレーム
３５    床頭台
３６    枕
【要約】
本発明に係る手指衛生機会測定システムは、被験者の位置及び姿勢を検知する被験者検知手段（２）と、被験者の動作を検知する動作検知手段（３）と、手指衛生機会に対応する特定の組合せをあらかじめ記憶する記憶部（４）と、被験者検知手段の検知情報と動作検知手段の検知情報と物体の位置を示す物体位置情報との組合せが、記憶部に記憶された組合せになった回数をカウントするカウンタ（５）とを備える。【図１】
0005701456.tif 000002
【図２】
0005701456.tif 000003
【図３】
0005701456.tif 000004
【図４】
0005701456.tif 000005
【図５】
0005701456.tif 000006
【図６】
0005701456.tif 000007
【図７】
0005701456.tif 000008
【図８】
0005701456.tif 000009
【図９】
0005701456.tif 000010
【図１０】
0005701456.tif 000011
【図１１】
0005701456.tif 000012
【図１２】
0005701456.tif 000013